(57)【要約】【課題】運転中に停電し、停電が復旧したとき自動的に運転再開する空気調和機を、リモコン装置の操作で停電復旧しても自動復帰しないようにする。【解決手段】電源オン／オフキー１と特定キー２を所定時間続けて押下すれば、これらの信号はキー入力部３から入力し、制御部８によりメモリ部４から自動復帰機能停止のプログラムが読出され、このプログラムに基づき表示部６の表示画面が消されて自動復帰機能停止を操作したことがわかるようなり、時計部５からの所定時間ごとの信号にて、その都度制御部によりメモリ部から電源オフのリモコンコードが読出され、発信部７から発信される。なお、自動復帰機能の停止は何れかの操作ボタンの押下で解除される。【選択図】  図１
2004317052.tif 000002
【特許請求の範囲】
【請求項１】
操作キーの状態を入力するキー入力部と、対象機器を制御するリモコンコードを記憶するメモリ部と、同メモリ部から読出された前記リモコンコードを対象機器に発信する発信部と、所定時間を計時する時計部と、対象機器の制御状態を表示する表示部と、前記キー入力部、メモリ部、発信部、時計部および表示部を制御する制御部とを備え、前記操作キーの押下により対応する前記リモコンコードを対象機器へ発信するリモートコントロール装置の制御方法において、特定の前記操作キーの押下により、所定時間ごとに対象機器の電源をオフするリモコンコードを対象機器に発信するようにしたことを特徴とするリモートコントロール装置の制御方法。
【請求項２】
特定の前記操作キーの押下にて、前記リモートコントロール装置に設けられた表示画面が消去されるようにし、所定時間ごとに前記対象機器の電源をオフするリモコンコードの対象機器への発信が行われる状態にあることを表すようにしたことを特徴とする請求項１記載のリモートコントロール装置の制御方法。
【請求項３】
特定の前記操作キーを押下した後に他の何れかの操作キーを押下することにより、特定の前記操作キーの押下による前記対象機器の電源をオフするリモコンコードの対象機器への発信が停止されるようにしたことを特徴とする請求項１または２記載のリモートコントロール装置の制御方法。
【発明の詳細な説明】
【０００１】
【発明の属する技術分野】
本発明はリモートコントロール（以降、リモコンと略す）装置の制御方法に係り、運転停止用の特定の操作キーを押下することにより、停電等で運転停止した空気調和機が停電復旧にて自動的に運転を再開する場合、定期的に運転停止のリモコンコードを発信し空気調和機の運転を停止させるものに関する。
【０００２】
【従来の技術】
電子機器や空気調和機等を遠隔操作するリモコン装置には、タイマーを内蔵し、所定のキー操作により指定された時刻に指定されたリモコンコードを発信し、制御対象機器を制御するようにしたものがある。（例えば、特許文献１参照。）これにより、例えば、就眠時、空気調和機を指定時間経過後に自動的に運転停止させたり、指定した時刻に空気調和機を運転開始させ、帰宅時には室内が適宜な温度になっているようにできるもの等がある。
しかし、空気調和機には、運転中に停電で運転が停止しても、停電が復旧したとき自動的に停電する前と同じ設定条件で運転を再開する自動復帰機能を備えたものがあり、このような空気調和機では、例えば、停電中に外出するような場合、空気調和機本体に電源スイッチあるいは自動復帰の解除スイッチが設けてあれば、これらのスイッチを操作して留守中に運転が再開されないようにすればよいが、部品コストがかかるためこのようなスイッチ自体を設けていないものがある。このような場合でも、空気調和機の電源プラグを抜くか、配電盤の空気調和機のブレーカーを切るといった操作を行えばよいが、コンセントの位置が高い所にあって電源プラグを抜くのが面倒であったり、コンセントが壁の中に埋め込まれていたり、中には電源が配電盤から直接配線されていて電源プラグ自体がないものがあったり、あるいは、配電盤のブレーカーを切ろうと思ってもどのブレーカーが空気調和機のものかわからない状態になっていて、電源を切ることができない等といった問題があった。
【０００３】
【特許文献１】
特開平７−１５４８７６号公報（第３−５頁、図１−図５）
【０００４】
【発明が解決しようとする課題】
本発明は以上述べた問題点を解決し、特定の操作キーを押下することにより、空気調和機の運転停止のリモコンコードが自動的に繰り返し発信され、停電復旧で自動的に運転を再開した空気調和機を自動的に運転停止させることができるリモコン装置の制御方法を提供することを目的とする。
【０００５】
【課題を解決するための手段】
本発明は上述の課題を解決するため、操作キーの状態を入力するキー入力部と、対象機器を制御するリモコンコードを記憶するメモリ部と、同メモリ部から読出された前記リモコンコードを対象機器に発信する発信部と、所定時間を計時する時計部と、対象機器の制御状態を表示する表示部と、前記キー入力部、メモリ部、発信部、時計部および表示部を制御する制御部とを備え、前記操作キーの押下により対応する前記リモコンコードを対象機器へ発信するリモコン装置の制御方法において、特定の前記操作キーの押下により、所定時間ごとに対象機器の電源をオフするリモコンコードを対象機器に発信するようにする。
【０００６】
なお、特定の前記操作キーの押下にて、前記リモコン装置に設けられた表示画面が消去されるようにし、所定時間ごとに前記対象機器の電源をオフするリモコンコードの対象機器への発信が行われる状態にあることを表すようにする。
【０００７】
また、特定の前記操作キーを押下した後に他の何れかの操作キーを押下することにより、特定の前記操作キーの押下による前記対象機器の電源をオフするリモコンコードの対象機器への発信が停止されるようにする。
【０００８】
【発明の実施の形態】
以下、図面に基づいて本発明によるリモコン装置の制御方法を詳細に説明する。
図１は本発明によるリモコン装置の制御方法の一実施例を示す要部ブロック図、図２は本発明によるリモコン装置の一例の要部斜視図である。図１の１は制御対象機器の電源をオン／オフする電源オン／オフキー、２は対象機器の自動復帰機能停止操作に用いる特定キー、３は操作キーの状態を入力するキー入力部、４は制御対象機器を制御するためのリモコンコードを記憶するメモリ部、５は所定時間を計時する時計部、６は液晶パネル等で構成され対象機器の制御状態等を表示する表示部、７はメモリ部４より読出されたリモコンコードを、例えば、赤外線で発信する発信部、８は各部を制御する制御部である。
図２の１１はリモコン装置、１２は表示画面（図１の表示部６に該当）で、その他の符号は図１と同じであるので説明を省く。
【０００９】
以上の構成において、次にその動作を空気調和機を例として図３のフローチャートを参照しながら説明する。空気調和機には、運転中に停電しても、停電が復旧したとき停電前に設定されていた条件と同じ条件で運転を再開する自動復帰機能を備えたものがあり、例えば、停電中に外出するような場合、何も操作しなければ、留守であるにもかかわらず停電の復旧で空気調和機が自動的に運転開始してしまう。この空気調和機の自動復帰機能を止めるには、リモコン装置１１の電源オン／オフキー１と特定キー２の二つを同時に所定時間、例えば、３秒間以上押下する。これにより、キー入力部３に操作キー押下の信号が入力し（ステップ１：Ｙｅｓ、以降、ＳＴ１と略す）、この入力が電源オン／オフキー１と特定キー２の同時押下によるもので、押下が３秒以上続いたので（ＳＴ２：Ｙｅｓ）、制御部８によりメモリ部４に記憶されている自動復帰機能停止のプログラムが読出され（ＳＴ３）、このプログラムに従い、表示部６（液晶パネルで構成した表示画面１２）の表示を消去し（ＳＴ４）、他の操作キーが押下されなければ（ＳＴ５：Ｎｏ）、時計部５から所定時間が経過するごと（例えば、３０分ごと）に出力される信号により（ＳＴ６：Ｙｅｓ）、その都度、制御部８を介しメモリ部４から電源オフのリモコンコードが読出され、発信部７から、例えば、赤外線で発信する（ＳＴ７）。これにより、リモコン装置１１を発信信号が空気調和機の受光部に届く位置に置くことにより、そのとき停電が復旧していれば、運転再開していた空気調和機の電源がオフされる。すなわち、停電復旧から最長でも上記３０分以内に運転が停止される。
【００１０】
上記ＳＴ４で表示部６（表示画面１２）の表示を消去するのは、自動復帰機能停止の操作をするのは通常停電中であり、空気調和機からの反応がなく、自動復帰機能が停止されたことが確認できないので、この不都合を解消するためである。すなわち、リモコン装置１１の電源オン／オフキー１と特定キー２を押下していると、所定時間、例えば、上述の３秒経過したとき、表示画面１２の表示が消え、自動復帰機能が停止されたことをユーザーが確認することができる。
【００１１】
なお、上述の自動復帰機能停止の操作後、リモコン装置１１の何れかの操作キーを押下すれば（ＳＴ５：Ｙｅｓ）、自動復帰機能の停止が解除される（ＳＴ８）。すなわち、例えば、停電したのでこの間に外出しようと思い、一旦は自動復帰機能停止の操作をしたが、外出をやめて停電の復旧を待つような場合、リモコン装置１１の何れかの操作キーを押下すれば、制御部８により自動復帰機能停止のプログラムが解除され、停電復旧にて、空気調和機本体内に設けられた自動復帰機能が作動し、空気調和機は停電する前に設定されていた条件で自動的に運転を再開する。この自動復帰機能の停止解除で表示画面１２は通常の表示となり（ＳＴ９）、操作キーの押下により通常のリモコンコードが発信され、リモコン制御が行われる状態となる（ＳＴ１０）。なお、ＳＴ２で電源オン／オフキー１と特定キー２が同時に３秒以上押下されなかった場合も（ＳＴ２：Ｎｏ）、自動復帰機能は停止されず、空気調和機は通常のリモコン制御が行われる（前記ＳＴ８〜ＳＴ１０）。
【００１２】
【発明の効果】
以上に説明したように、本発明によるリモコン装置の制御方法によれば、例えば、制御対象機器である空気調和機が運転中に停電し、停電が復旧したとき、自動的に停電前に設定されている条件で運転を再開する自動復帰機能を有しているが、リモコン装置の特定の操作キーを操作することにより、空気調和機の電源オフのリモコンコードが所定の時間間隔で自動的に繰り返し発信されるものであるから、停電復旧で自動的に運転を再開した空気調和機は自動的に運転停止するもので、留守中の部屋で空気調和機が長時間運転されるという無駄をなくすることができる。なお、上記特定の操作キーの操作時は、停電中であるから空気調和機の反応がなく、自動復帰機能停止の確認ができないが、上記操作でリモコン装置の表示画面の表示が消えるようにすることにより、自動復帰機能の停止を確認できる。また、自動復帰機能の停止操作後、リモコン装置の何れかの操作キーを押せば自動復帰機能の停止が解除されるので、例えば、停電の間に外出しようと思い、一旦は自動復帰機能の停止操作をしたが、外出をやめて自動復帰を待ちたいような場合にも簡単な操作ですみ、不便を生じない。
【図面の簡単な説明】
【図１】本発明によるリモコン装置の制御方法の一実施例の要部ブロック図である。
【図２】本発明によるリモコン装置の一例の要部斜視図である。
【図３】本発明によるリモコン装置の制御方法の一実施例の動作説明のフローチャートである。
【符号の説明】
１  電源オン／オフキー
２  特定キー
３  キー入力部
４  メモリ部
５  時計部
６  表示部
７  発信部
８  制御部
１１  リモコン装置
１２  表示画面（液晶パネル）
【図１】
2004317052.tif 000003
【図２】
2004317052.tif 000004
【図３】
2004317052.tif 000005